【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】
電子機器のカードスロットに着脱可能に設けられたカード型電子機器において、
前記カードスロットに挿入可能に形成された筐体と、
前記電子機器に対しデータの入出力を行う入出力端子と、
アプリケーションプログラムを記憶するメモリと、
前記アプリケーションプログラムを実行するシステム部と、
課金情報データを記憶する保護メモリと、
前記入出力端子を介して前記電子機器との前記アプリケーションプログラムの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とするカード型電子機器。
【請求項２】
電子機器のカードスロットに着脱可能に設けられたカード型電子機器において、
前記カードスロットに挿入可能に形成された筐体と、
前記電子機器に対しデータの入出力を行う入出力端子と、
通信データを記憶するメモリと、
前記通信データの送受信を行う送受信部と、
課金情報データを記憶する保護メモリと、
前記入出力端子を介して前記電子機器との前記通信データの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とするカード型電子機器。
【請求項３】
電子機器のカードスロットに着脱可能に設けられたカード型電子機器において、
前記カードスロットに挿入可能に形成された筐体と、
前記電子機器に対しデータの入出力を行う入出力端子と、
衛星からの電波を受信し、現在位置を算出する受信部と、
地図データを記憶するメモリと、
前記受信部により算出された現在位置を前記地図データ上に表示する表示部と、
個人情報データを記憶する保護メモリと、
前記入出力端子を介して前記電子機器との前記地図データの入出力の制御を行うとともに、予め設定された解読コードが入力された場合にのみ前記保護メモリに記憶された前記個人情報データを前記入出力端子を介して前記電子機器との入出力を可能とする制御部とを備えていることを特徴とするカード型電子機器。
【請求項４】
電子機器のカードスロットに着脱可能に設けられたカード型電子機器において、
前記カードスロットに挿入可能に形成された筐体と、
前記電子機器に対しデータの入出力を行う入出力端子と、
放送を受信する受信部と、
この受信部により受信された受信データを記憶するメモリと、
課金情報データを記憶する保護メモリと、
前記入出力端子を介して前記受信データの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とするカード型電子機器。
【請求項５】
電子機器のカードスロットに着脱可能に設けられたカード型電子機器において、
前記カードスロットに挿入可能に形成された筐体と、
前記電子機器に対しデータの入出力を行う入出力端子と、
音楽データを記憶するメモリと、
課金情報データを記憶する保護メモリと、
前記入出力端子を介して前記電子機器との前記音楽データの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とするカード型電子機器。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
（１）電子機器のカードスロットに着脱可能に設けられたカード型電子機器において、前記カードスロットに挿入可能に形成された筐体と、前記電子機器に対しデータの入出力を行う入出力端子と、アプリケーションプログラムを記憶するメモリと、前記アプリケーションプログラムを実行するシステム部と、課金情報データを記憶する保護メモリと、前記入出力端子を介して前記電子機器との前記アプリケーションプログラムの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とする。
【手続補正５】
【補正対象書類名】明細書
【補正対象項目名】０００９
【補正方法】変更
【補正の内容】
【０００９】
（２）電子機器のカードスロットに着脱可能に設けられたカード型電子機器において、前記カードスロットに挿入可能に形成された筐体と、前記電子機器に対しデータの入出力を行う入出力端子と、通信データを記憶するメモリと、前記通信データの送受信を行う送受信部と、課金情報データを記憶する保護メモリと、前記入出力端子を介して前記電子機器との前記通信データの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とする。
【手続補正６】
【補正対象書類名】明細書
【補正対象項目名】００１０
【補正方法】変更
【補正の内容】
【００１０】
（３）電子機器のカードスロットに着脱可能に設けられたカード型電子機器において、前記カードスロットに挿入可能に形成された筐体と、前記電子機器に対しデータの入出力を行う入出力端子と、衛星からの電波を受信し、現在位置を算出する受信部と、地図データを記憶するメモリと、前記受信部により算出された現在位置を前記地図データ上に表示する表示部と、個人情報データを記憶する保護メモリと、前記入出力端子を介して前記電子機器との前記地図データの入出力の制御を行うとともに、予め設定された解読コードが入力された場合にのみ前記保護メモリに記憶された前記個人情報データを前記入出力端子を介して前記電子機器との入出力を可能とする制御部とを備えていることを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
（４）電子機器のカードスロットに着脱可能に設けられたカード型電子機器において、前記カードスロットに挿入可能に形成された筐体と、前記電子機器に対しデータの入出力を行う入出力端子と、放送を受信する受信部と、この受信部により受信された受信データを記憶するメモリと、課金情報データを記憶する保護メモリと、前記入出力端子を介して前記受信データの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
（５）電子機器のカードスロットに着脱可能に設けられたカード型電子機器において、前記カードスロットに挿入可能に形成された筐体と、前記電子機器に対しデータの入出力を行う入出力端子と、音楽データを記憶するメモリと、課金情報データを記憶する保護メモリと、前記入出力端子を介して前記電子機器との前記音楽データの入出力の制御を行うとともに、予め設定された解読コードが入力された場合にのみ前記保護メモリに記憶された前記課金情報データを前記入出力端子を介して前記電子機器との入出力を可能とする制御部とを備えていることを特徴とする。